(57)【要約】【課題】巻芯の周囲に帯状物を巻回してなるロール体を横置き状態で効率よく収納でき、異なるロール幅又は異なる巻芯径のロール体であっても巻芯受部アダプタを取り替えて対応でき、利便性が向上したロール受け台の提供。【解決手段】巻芯の周囲に帯状物を巻回してなるロール体を横置き状態で収納するロール受け台であって、前記ロール体の両端から突出した巻芯を保持する一対の巻芯受部を有し、該巻芯受部の前記巻芯と接する部分が交換可能な巻芯受部アダプタからなるロール受け台である。該一対の巻芯受部アダプタが、ロール体側に突設されている態様、巻芯受部アダプタを交換することにより、一方の巻芯受部と他方の巻芯受部との間の距離、又は巻芯受部アダプタの巻芯と接する部分の内径を調節可能である態様、などが好ましい。【選択図】図５
2008222313.tif 000002
【特許請求の範囲】
【請求項１】
巻芯の周囲に帯状物を巻回してなるロール体を横置き状態で収納するロール受け台であって、
前記ロール体の両端から突出した巻芯を保持する一対の巻芯受部を有し、該巻芯受部の前記巻芯と接する部分が着脱可能な巻芯受部アダプタからなることを特徴とするロール受け台。
【請求項２】
一対の巻芯受部アダプタが、ロール体側に突設されている請求項１に記載のロール受け台。
【請求項３】
巻芯受部アダプタを交換することにより、一方の巻芯受部と他方の巻芯受部との間の距離、又は巻芯受部アダプタの巻芯と接する部分の内径を調節可能である請求項１から２のいずれかに記載のロール受け台。
【請求項４】
一対の巻芯受部が設けられたフレームが、他の種類のロール受け台と見分けるためのスキッド判別板を有する請求項１から３のいずれかに記載のロール受け台。
【請求項５】
一対の巻芯受部がフレームに着脱可能に設けられている請求項４に記載のロール受け台。
【請求項６】
帯状物が、樹脂フィルム、紙、紙と樹脂の複合フィルム、布、織物、金属薄板、金属線及び電線から選択されるいずれかである請求項１から５のいずれかに記載のロール受け台。
【発明の詳細な説明】
【技術分野】
【０００１】
本発明は、樹脂フィルム、紙、紙と樹脂の複合フィルム、布、織物、金属薄板、金属線及び電線から選択されるいずれかを巻回してなるロール体を横置き状態で効率よく収納できるロール受け台に関する。
【背景技術】
【０００２】
従来より、巻芯の周囲に帯状物を巻回してなるロール体を横置き状態でラックに貯蔵及び保管したり、トラック等でロール体を移動する際に、該ロール体を収納するためのロール受け台（以下、「スキッド」と称することもある）が提案されている（特許文献１参照）。
【０００３】
このようなスキッドとしては、例えば図１〜図４に示すように、略長方形状のフレーム１に、ロール体３の両端部から突出する巻芯４を保持する一対の巻芯受部２，２を備えたものがある。なお、図２中１２は補強軸である。この図１のスキッド１０は、巻芯受部２，２が一体に形成された状態でフレーム１に取り付けられている。このため、用いるロール体の幅や巻芯の外径が異なる場合にはその大きさに合わせてロール受け台自体を作製したり、大きさの異なる複数種のロール受け台を準備しておくことが必要になり、コストアップを招いたり、広い保管場所が必要になるという問題があり、これらの改良、改善が望まれているのが現状である。
【０００４】
【特許文献１】特開平８−２５２６号公報
【発明の開示】
【発明が解決しようとする課題】
【０００５】
本発明は、従来における前記諸問題を解決し、以下の目的を達成することを課題とする。即ち、本発明は、巻芯の周囲に帯状物を巻回してなるロール体を横置き状態で効率よく収納でき、異なるロール幅又は異なる巻芯径のロール体であっても巻芯受部アダプタを取り替えて対応でき、利便性が向上したロール受け台を提供することを目的とする。
【課題を解決するための手段】
【０００６】
前記課題を解決するための手段としては、以下の通りである。即ち、
＜１＞  巻芯の周囲に帯状物を巻回してなるロール体を横置き状態で収納するロール受け台であって、
前記ロール体の両端から突出した巻芯を保持する一対の巻芯受部を有し、該巻芯受部の前記巻芯と接する部分が着脱可能な巻芯受部アダプタからなることを特徴とするロール受け台である。
該＜１＞に記載のロール受け台においては、巻芯受部の前記巻芯と接する部分に着脱可能な巻芯受部アダプタを有し、該巻芯受部アダプタを交換することにより、異なるロール幅又は異なる巻芯径のロール体であっても収納可能となる。
＜２＞  一対の巻芯受部アダプタが、ロール体側に突設されている前記＜１＞に記載のロール受け台である。
＜３＞  巻芯受部アダプタを交換することにより、一方の巻芯受部と他方の巻芯受部との間の距離、又は巻芯受部アダプタの巻芯と接する部分の内径を調節可能である前記＜１＞から＜２＞のいずれかに記載のロール受け台である。
＜４＞  一対の巻芯受部が設けられたフレームが、他の種類のロール受け台と見分けるためのスキッド判別板を有する前記＜１＞から＜３＞のいずれかに記載のロール受け台である。
＜５＞  一対の巻芯受部がフレームに着脱可能に設けられている前記＜４＞に記載のロール受け台である。
＜６＞  帯状物が、樹脂フィルム、紙、紙と樹脂の複合フィルム、布、織物、金属薄板、金属線及び電線から選択されるいずれかである前記＜１＞から＜５＞のいずれかに記載のロール受け台である。
【発明の効果】
【０００７】
本発明によると、従来における問題を解決することができ、巻芯の周囲に帯状物を巻回してなるロール体を横置き状態で効率よく収納でき、異なるロール幅又は異なる巻芯径のロール体であっても巻芯受部アダプタを取り替えて対応でき、利便性が向上したロール受け台を提供することができる。
【発明を実施するための最良の形態】
【０００８】
本発明のロール受け台は、巻芯受部を有し、フレーム、スキッド判別板、更に必要に応じてその他の部材を有してなる。
【０００９】
前記ロール受け台は、ロール体を横置き状態で収納することができるものであれば特に制限はなく、目的に応じてその形状、構造、大きさ、材料等について適宜選択することができる。前記ロール受け台の大きさ及び形状は、収納するロール体の大きさ及び形状などに応じて適宜選定することができる。
【００１０】
−ロール体−
前記ロール体としては、巻芯の周囲に帯状物を巻回してなる以外は特に制限はなく、目的に応じてその大きさ、重量、種類などについて適宜選択することができる。
前記ロール体の大きさ及び重量は、保管、輸送などに適したものであれば特に制限はなく、目的に応じて適宜選択することができるが、ロール体の大きさ（幅）は、１００ｃｍ〜２００ｃｍが好ましい。
前記帯状物の種類としては、例えば、樹脂フィルム、紙、紙と樹脂の複合フィルム、布、織物、金属薄板、金属線及び電線から選択されるいずれかを巻回してなるものなどが挙げられる。
前記巻芯としては、その周囲に帯状物を巻回することができれば大きさ、形状、材料などについて特に制限はなく、目的に応じて適宜選択することができる。前記形状は、円柱乃至円筒形状が好ましい。前記巻芯の材料としては、ステンレススチール、鉄、アルミニウム等の金属、プラスチック、木材、などが挙げられる。
前記巻芯の外径は、特に制限はなく、目的に応じて適宜選定されるが、５ｃｍ〜５０ｃｍが好ましい。
【００１１】
−巻芯受部−
前記巻芯受部は、ロール体の両端から突出した巻芯を保持する機能を有すれば特に制限はなく、目的に応じて適宜選択することができるが、巻芯受部本体と、前記ロール体と接する部分が交換可能な巻芯受部アダプタとからなる。
【００１２】
前記巻芯受部アダプタは、巻芯受部に交換可能に取り付けられている。該巻芯受部アダプタの取り付け方法としては、特に制限はなく、目的に応じて適宜選択することができ、例えば固定ボルト、巻芯受部本体の固定ピンを巻芯受部アダプタの孔に挿入する方法、これらを併用した方法、などが挙げられる。
なお、巻芯受部本体の固定ピンを巻芯受部アダプタの孔に挿入することにより、巻芯受部アダプタの位置決めが容易に行える。
前記巻芯受部アダプタを交換可能とすることにより、一方の巻芯受部と他方の巻芯受部との間の距離、又は巻芯受部アダプタの巻芯と接する部分の内径を調節可能である。具体的には、一方の巻芯受部と他方の巻芯受部との間の距離（即ち、ロール体のロール幅の調節）を１１０ｃｍ〜２１０ｃｍの範囲で調節できる。また、巻芯受部アダプタの巻芯と接する部分の内径５ｃｍ〜５０ｃｍの範囲で調節できる。これにより、異なるロール幅又は巻芯径のロール体を収納する際には、巻芯受部アダプタのみを交換すれば対応可能となるため、大幅なコストダウンが図れる。
【００１３】
前記一対の巻芯受部アダプタは、ロール体側に突設されていることが好ましい。この場合、巻芯受部アダプタが巻芯受部本体に対し、ロール体側に１ｃｍ〜２０ｃｍ突出させて取り付けることができる。これにより、収納するロール体のロール幅が変化した場合であっても巻芯受部アダプタを交換することで対応することができる。
前記巻芯受部アダプタの巻芯と接する部分には、ウレタンゴム製パッド等の弾性部材を設けることが、耐衝撃性を向上させる点で好ましい。
【００１４】
前記一対の巻芯受部はフレームと一体に形成されていてもよいが、フレームに着脱可能に設けられていることが好ましい。該巻芯受部のフレームへの取り付け方法としては、特に制限はなく、目的に応じて適宜選択することができ、例えば固定ボルト、などが挙げられる。これにより、巻芯受部を任意に取り外しが可能となり、ロール受け台を重ねて保管することができ、省スペース化が図れる。
【００１５】
−フレーム−
前記フレームとしては、その大きさ、形状、材料などについては特に制限はなく、目的に応じて適宜選択することができる。前記フレームの大きさは、収納するロール体の大きさに応じて適宜選定することができる。前記フレームの形状は、収納するロール体の大きさに応じて適宜選定することができるが、略長方形状などが好ましい。
前記フレームの材料としては、例えばステンレススチール、鉄、アルミニウム等の金属、プラスチック、木材、などが挙げられる。
前記フレームは、狭い幅のロール体と兼用できるようにフレームをスライド可能に構成することもできる。
また、本発明のロール受け台では、巻芯受部の巻芯受部アダプタをロール体側に突設させた分だけ、フレームの幅を広くし、ロール受け台を重ね保管できるようにしたので、保管スペースを少なくすることができる。
【００１６】
−スキッド判別板−
本発明のロール受け台は、一対の巻芯受部が設けられたフレームが、他の種類のロール受け台と見分けるためのスキッド判別板を有することが好ましい。これにより、自動ラック内等で積載されたロール体の幅を区分けするのに用いられているセンサーをそのまま利用して、他の種類のロール受け台を区別することができる。
前記スキッド判別板としては、その形状、構造、大きさ、材料等については特に制限はなく、目的に応じて適宜選択することができる。
前記スキッド判別板の材料としては、ステンレススチール、鉄、アルミニウム等の金属、プラスチック、木材、などが挙げられる。
【００１７】
＜第１実施形態＞
図５〜図８を参照して本発明の第１実施形態のロール受け台について説明する。
図５は、本発明の第１実施形態のロール受け台を示す斜視図、図６は、本発明の第１実施形態のロール受け台を示す平面図、図７は、本発明の第１実施形態のロール受け台を示す側面図、図８は、本発明の第１実施形態のロール受け台にロール体を収納した状態を示す図である。
このロール受け台１０は、略長方形状のフレーム１に、ロール体の両端から突出した巻芯４，４を保持する一対の巻芯受部２，２が一体に立設されている。なお、図５及び図６中１２は補強軸である。この実施形態において、フレームは鉄製である。
【００１８】
巻芯受部２は、巻芯受部本体７と、巻芯受部アダプタ５とからなり、該巻芯受部アダプタ５は巻芯受部本体７に固定ボルト９で交換可能に固定されている。
巻芯受部本体７はフレーム１と一体に形成されている。
巻芯受部アダプタ５は、ロール体の巻芯と接する部分が巻芯の外径に合わせた内径を有しており、図８に示すように、ロール体３の巻芯４を巻芯受部アダプタ５で保持し、ロール体を安定に収納可能に構成している。この実施形態において、ロール体のロール幅は１４５．１ｃｍ、巻芯の外径は１３．４ｃｍである。
巻芯受部アダプタ５のロール体の巻芯と接する部分は、ウレタンゴム製パッドを備えている。
巻芯受部アダプタ５は、図７に示すように、収納されるロール体側に突出させて巻芯受部本体７に取り付けられている。この図７の例では、巻芯受部本体７に対し巻芯受部アダプタ５が４．７ｃｍ突出させて取り付けられている（図７中Ｄ参照）。
このように、巻芯受部アダプタ５を交換することにより、収納するロール体のロール幅や巻芯外径の変化に対応させることができる。
【００１９】
図５中６は、フレームに設けられたスキッド判別板であり、自動ラック内等で積載されたロール体の幅を区分けするのに用いられているセンサーをそのまま利用して、他の種類のロール受け台を区別することができる。この実施形態において、スキッド判別板は鉄製である。
【００２０】
＜第２実施形態＞
図９〜図１２を参照して本発明の第２実施形態のロール受け台について説明する。
図９は、本発明の第２実施形態のロール受け台を示す斜視図、図１０は、本発明の第２実施形態のロール受け台を示す平面図、図１１は、本発明の第２実施形態のロール受け台を示す側面図、図１２は、本発明の第２実施形態のロール受け台にロール体を収納した状態を示す図である。
このロール受け台１０は、略長方形状のフレーム１に、ロール体の両端から突出した巻芯４，４を保持する一対の巻芯受部２，２が立設されている。なお、図９及び図１０中１２は補強軸である。この実施形態において、フレームは鉄製である。
【００２１】
巻芯受部２は、巻芯受部本体７と、巻芯受部アダプタ５とからなり、該巻芯受部アダプタ５は巻芯受部本体７に固定ピン８、固定ボルト９で交換可能に固定されている。
巻芯受部本体７は、フレーム１に固定ボルト１１で着脱可能に取り付けられている。
巻芯受部アダプタ５は、ロール体の巻芯と接する部分が巻芯の外径に合わせた内径を有しており、図１２に示すように、ロール体３の巻芯４を巻芯受部アダプタで保持し、ロール体を安定に収納可能に構成している。この実施形態において、ロール体のロール幅は１４５．１ｃｍ、巻芯の外径は１３．４ｃｍである。
巻芯受部アダプタ５のロール体の巻芯と接する部分は、ウレタンゴム製パッドを備えている。
巻芯受部アダプタ５は、図１１に示すように、収納されるロール体側に突出させて巻芯受部本体７に取り付けられている。この図１１の例では、巻芯受部本体７に対し巻芯受部アダプタ５が４．７ｃｍ突出させて取り付けられている（図１１中Ｄ参照）。
このように、巻芯受部アダプタ５を交換することにより、収納するロール体のロール幅や巻芯外径の変化に対応させることができる。
【００２２】
図９中６は、フレームに設けられたスキッド判別板であり、自動ラック内等で積載されたロール体の幅を区分けするのに用いられているセンサーをそのまま利用して、他の種類のロール受け台を区別することができる。この実施形態において、スキッド判別板は鉄製である。
【００２３】
次に、図１３は別のロール受け台を示す平面図、図１４は別のロール受け台にロール体を収納した状態を示す図である。
このロール受け台では、更にロール体のロール幅の変更に柔軟に対応できるようにフレーム１にスライドレール１３を設けてスライド可能としたものである。
スライドレール１３の材料としては、特に制限はなく、目的に応じて適宜選択することができるが、樹脂材を用いると小さな力で幅変え作業が可能となるので好適である。また、軽くスライドさせるためにカムフォロア１５を用いることが好ましい。また、位置決めは簡単に止められるように専用止めボルト１４を用いて固定した。なお、専用止めボルト１４はスライドレール１３から抜けないようにナット止めなどをすることにより、フレームから外れるのを防止している。また、図１４に示すように巻芯受部２の形状を安定な富士山型にしている。
【００２４】
更に図１３のカムフォロア１５に変わる方法として、図１５に示すベースガイド１６を使用することにより、更にフレームの巾変更作業が小さな力で容易にスライドさせることができ、また安価に製作することができる。
ベースガイド１６の材料としては、特に制限はなく、目的に応じて適宜選択することができるが、ＭＣナイロン等の樹脂材が好適である。
図１５中１７は、幅替え作業を簡単にできるように設けられたスライド用ハンドルである。なお、図１５では、巻芯受部２の形状を安価な角型にしている。
【００２５】
以上、本発明のロール受け台の一実施例について詳細に説明したが、本発明は、前記実施例に限定されず、本発明の要旨を逸脱しない範囲で種々変更しても差し支えない。
【産業上の利用可能性】
【００２６】
本発明のロール受け台は、巻芯の周囲に帯状物を巻回してなるロール体を横置き状態で効率よく収納でき、異なるロール幅又は異なる巻芯径のロール体であっても巻芯受部アダプタを取り替えて対応できるので、例えば樹脂フィルム、紙、紙と樹脂の複合フィルム、布、織物、金属薄板、金属線及び電線から選択されるいずれかを巻回してなるロール体のラックに貯蔵及び保管したり、トラック等で移動する際に好適に用いられる。
【図面の簡単な説明】
【００２７】
【図１】図１は、従来のロール受け台の一例を示す斜視図である。
【図２】図２は、従来のロール受け台の一例を示す平面図である。
【図３】図３は、従来のロール受け台の一例を示す側面図である。
【図４】図４は、従来のロール受け台にロール体を収納した状態を示す図である。
【図５】図５は、本発明の第１実施形態のロール受け台を示す斜視図である。
【図６】図６は、本発明の第１実施形態のロール受け台を示す平面図である。
【図７】図７は、本発明の第１実施形態のロール受け台を示す側面図である。
【図８】図８は、本発明の第１実施形態のロール受け台にロール体を収納した状態を示す図である。
【図９】図９は、本発明の第２実施形態のロール受け台を示す斜視図である。
【図１０】図１０は、本発明の第２実施形態のロール受け台を示す平面図である。
【図１１】図１１は、本発明の第２実施形態のロール受け台を示す側面図である。
【図１２】図１２は、本発明の第２実施形態のロール受け台にロール体を収納した状態を示す図である。
【図１３】図１３は、別のロール受け台を示す平面図である。
【図１４】図１４は、図１３のロール受け台にロール体を収納した状態を示す図である。
【図１５】図１５は、別のロール受け台にロール体を収納した状態を示す図である。
【符号の説明】
【００２８】
１      フレーム
２      巻芯受部
３      ロール体
４      巻芯
５      巻芯受部アダプタ
６      スキッド判別板
７      巻芯受部本体
８      固定ピン
９、１１      固定ボルト
１０      ロール受け台
１２      補強軸
１３      スライドレール
１４      専用止めボルト
１５      カムフォロア
１６      ベースガイド
１７      スライド用ハンドル
【図１】
2008222313.tif 000003
【図２】
2008222313.tif 000004
【図３】
2008222313.tif 000005
【図４】
2008222313.tif 000006
【図５】
2008222313.tif 000007
【図６】
2008222313.tif 000008
【図７】
2008222313.tif 000009
【図８】
2008222313.tif 000010
【図９】
2008222313.tif 000011
【図１０】
2008222313.tif 000012
【図１１】
2008222313.tif 000013
【図１２】
2008222313.tif 000014
【図１３】
2008222313.tif 000015
【図１４】
2008222313.tif 000016
【図１５】
2008222313.tif 000017